(57)【要約】【課題】携帯端末の各種の機能設定を簡易に行いユーザの利用頻度の高い機能の使い勝手を向上させることを可能とする。【解決手段】携帯端末の機能設定に関する好みのプロファイルをネットワーク上のプロファイルサーバからダウンロードし、選択的に使用可能な多数の機能のうち優先的に使用する機能を携帯端末に設定する事により、ユーザ各人の利用頻度の高い機能の使い勝手を向上させる。例えば、個々のユーザにとって優先して使いたい機能(電子メールやブラウザ機能、カメラ機能等)をより素早く簡単に快適に使えるよう、携帯端末内部の各種制御テーブルやメモリなどの資源割当などを使いたい機能毎に最適化するための情報をプロファイル情報としてまとめて、専用ホームページ等からダウンロードして携帯端末に設定して利便性を向上させる。【選択図】図１
2007201922.tif 000002
【特許請求の範囲】
【請求項１】
ネットワークに接続され、携帯端末機能の操作性を変更する設定情報に係るプロファイル情報を提供するプロファイルサーバと、前記ネットワークを介して前記プロファイルサーバにアクセスし、所望のプロファイル情報を記憶領域にダウンロードするダウンロード手段、ダウンロードしたプロファイル情報を動作情報テーブルに設定する設定手段及び前記動作情報テーブルに基づき携帯端末機能を制御する制御部を有する携帯端末と、からなることを特徴とする携帯端末の操作性変更システム。
【請求項２】
前記携帯端末は、携帯端末機能の初期状態のプロファイル情報を格納した記憶領域を有し、前記設定手段により前記初期状態のプロファイル情報を前記動作情報テーブルに設定することにより操作性を変更した携帯端末機能を初期状態に戻すことを可能としたことを特徴とする請求項１記載の携帯端末の操作性変更システム。
【請求項３】
前記プロファイル情報は、一発起動機能の機能キー又はスイッチ割当の情報であることを特徴とする請求項１又は２記載の携帯端末の操作性変更システム。
【請求項４】
前記一発起動機能は、電子メール、カメラ撮影又はブラウザの何れかの機能を含むことを特徴とする請求項３記載の携帯端末の操作性変更システム。
【請求項５】
前記プロファイル情報には、画面表示レイアウトの情報を含むことを特徴とする請求項１ないし４の何れかの請求項記載の携帯端末の操作性変更システム。
【請求項６】
前記プロファイル情報には、操作性を変更する機能毎に少なくとも各種制御テーブルやメモリの資源割当を最適化するための情報を含むことを特徴とする請求項１ないし５の何れかの請求項記載の携帯端末の操作性変更システム。
【請求項７】
ネットワークに接続された携帯端末機能の操作性を変更する設定情報に係るプロファイル情報を提供するプロファイルサーバにアクセスし、所望のプロファイル情報を記憶領域にダウンロードするダウンロード手段と、ダウンロードしたプロファイル情報を動作情報テーブルに設定する設定手段と、前記動作情報テーブルに基づき携帯端末機能を制御する制御部と、を有することを特徴とする操作性をカスタマイズ可能な携帯端末。
【請求項８】
前記携帯端末は、携帯端末機能の初期状態のプロファイル情報を格納した記憶領域を有し、前記設定手段により前記初期状態のプロファイル情報を前記動作情報テーブルに設定することにより操作性を変更した携帯端末機能を初期状態に戻すことを可能としたことを特徴とする請求項７記載の操作性をカスタマイズ可能な携帯端末。
【請求項９】
前記プロファイル情報は、一発起動機能の機能キー又はスイッチ割当の情報であることを特徴とする請求項７又は８記載の操作性をカスタマイズ可能な携帯端末。
【請求項１０】
前記一発起動機能は、電子メール、カメラ撮影又はブラウザの何れかの機能を含むことを特徴とする請求項９記載の操作性をカスタマイズ可能な携帯端末。
【請求項１１】
前記プロファイル情報には、画面表示レイアウトの情報を含むことを特徴とする請求項７ないし１０の何れかの請求項記載の操作性をカスタマイズ可能な携帯端末。
【請求項１２】
前記プロファイル情報には、操作性を変更する機能毎に少なくとも各種制御テーブルやメモリの資源割当を最適化するための情報を含むことを特徴とする請求項７ないし１１の何れかの請求項記載の操作性をカスタマイズ可能な携帯端末。
【発明の詳細な説明】
【技術分野】
【０００１】
本発明は携帯端末に関し、特に携帯電話端末等の操作性を簡単にカスタマイズできる携帯端末の操作性変更システム及び操作性をカスタマイズ可能な携帯端末に関する。
【背景技術】
【０００２】
従来、移動体通信端末の電子メールの記憶領域について、購入時には長文メールと短文メールのそれぞれの記憶領域を有し「どちらも使用する」状態に設定されており、購入者が「長文メールのみ使用する」に設定すると、長文メールの記憶領域の後に短文メールの記憶領域が追加され、短文メールの記憶領域にも長文メールが記憶可能となるメモリ配分のカスタマイズを可能とするものが知られている（特許文献１参照）。
【０００３】
また、ネットワークを介してセキュリティの高いＬＡＮシステム内の端末への接続（ＶＰＮ接続等）に必要な通信項目群からなる通信プロファイル等を保存管理するプロファイル管理装置を該ネットワーク上に設置し、利用者の端末は前記通信プロファイルを取得した上で前記ＬＡＮシステム内の端末との通信が可能となる通信プロファイル提供方法も知られている（特許文献２参照）。
【特許文献１】特開２０００−３１６１７７号公報
【特許文献２】特開２００４−３４３５２２号公報
【発明の開示】
【発明が解決しようとする課題】
【０００４】
特許文献１記載の移動体通信端末においては、メーカが製造時点で設計し、それに沿ったプログラムが作り込まれ、予め選択的に利用可能な記憶領域の設定について、ユーザが購入後にユーザ自ら記憶領域を変更可能としたものである。また、特許文献２の通信プロファイル提供方法は、端末への新たな通信機能をダウンロードするにすぎないものである。
【０００５】
ところで、携帯端末においては、多機能化が進んできているがユーザごとに各機能の使用頻度は異なるものであり、購入後に各個人の好みより機能等の使用の優先設定が可能なものとしては、例えば、携帯端末の表示色や呼び出し音など、実質的に一部の機能について可能である程度であり、ユーザ自身による使い勝手の変更には複雑な操作を必要としたり、その操作方法や可能性すら理解困難なものも多く、各種操作や機能などがメーカにより製造時点で設計され、プログラムが作り込まれたままでは、必ずしもユーザにとって最適な操作性(ユーザインタフェース)が確保されているとは限らないという問題があった。
【０００６】
特に、携帯端末の一発起動キーによるアプリケーションの起動設定、電源投入や折畳み式携帯端末を開いたときのように携帯端末の使用時の動作モードの設定、表示メニューレイアウトの設定等の動作モード等の優先的設定や起動又は機能切り替え等の優先順位については予め固定されており、ユーザにより変更することは困難であったり不可能である場合があった。
【０００７】
（目的）
本発明の目的は、以上の問題に鑑みてなされたものであり、各種の機能設定を簡易に行い、ユーザの利用頻度の高い機能の使い勝手を向上させることを可能とした携帯端末の操作性変更システム及び操作性をカスタマイズ可能な携帯端末を提供することにある。
【０００８】
本発明の他の目的は、機能設定をまとめて記録でき変更可能な動作情報テーブルを用いてその情報を変更する事で簡単に機能の操作性や動作優先順位を変更できるようにした携帯端末の操作性変更システム及び操作性をカスタマイズ可能な携帯端末を提供することにある。
【０００９】
本発明の他の目的は、専用キーによる特殊機能の起動、折畳み式携帯端末を開いたときに優先的に起動する機能の設定を簡易に行うことを可能とした携帯端末の操作性変更システム及び操作性をカスタマイズ可能な携帯端末を提供することにある。
【課題を解決するための手段】
【００１０】
本発明は、携帯端末の機能設定に関する好みのプロファイル情報をネットワーク上のプロファイルサーバからダウンロードし、選択的に使用可能な多数の機能のうち優先的に使用する機能を携帯端末に設定する事により、ユーザ各人の利用頻度の高い機能の使い勝手を向上させる事を特徴とする。より具体的には、個々のユーザにとって優先して使いたい機能(電子メールやブラウザ機能、カメラ機能、表示メニューレイアウト等)をより素早く簡単に快適に使えるよう、携帯端末内部の各種制御テーブルやメモリなどの資源割当などを使いたい機能毎に最適化するための情報をプロファイル情報としてまとめて、専用ホームページ上からダウンロードして携帯端末に設定する事で利便性を向上させる。つまり、
本発明の携帯端末の操作性変更システムは、ネットワークに接続され、携帯端末機能の操作性を変更する設定情報に係るプロファイル情報を提供するプロファイルサーバ（例えば、図３の２０）と、前記ネットワークを介して前記プロファイルサーバにアクセスし、所望のプロファイル情報を記憶領域（例えば、図３の１４）にダウンロードするダウンロード手段（例えば、図３の１１１）、ダウンロードしたプロファイル情報を動作情報テーブル（例えば、図３の１２）に設定する設定手段（例えば、図３の１１２）及び前記動作情報テーブルに基づき携帯端末機能を制御する制御部（例えば、図２の７、図３の１１）を有する携帯端末（例えば、図３の１０）と、からなることを特徴とし、前記携帯端末は、携帯端末機能の初期状態のプロファイル情報を格納した記憶領域（例えば、図３の１３）を有し、前記設定手段（例えば、図３の１１２）により前記初期状態のプロファイル情報を前記動作情報テーブル（例えば、図３の１２）に設定することにより操作性を変更した携帯端末機能を初期状態に戻すことを可能としたことを特徴とする。
【００１１】
本発明の操作性をカスタマイズ可能な携帯端末は、ネットワークに接続された携帯端末機能の操作性を変更する設定情報に係るプロファイル情報を提供するプロファイルサーバ（例えば、図３の２０）にアクセスし、所望のプロファイル情報を記憶領域（例えば、図３の１４）にダウンロードするダウンロード手段（例えば、図３の１１１）と、ダウンロードしたプロファイル情報を動作情報テーブル（例えば、図３の１２）に設定する設定手段（例えば、図３の１１２）と、前記動作情報テーブルに基づき携帯端末機能を制御する制御部（例えば、図２の７、図３の１１）と、を有することを特徴とし、前記携帯端末は、携帯端末機能の初期状態のプロファイル情報を格納した記憶領域（例えば、図３の１３）を有し、前記設定手段（例えば、図３の１１２）により前記初期状態のプロファイル情報を前記動作情報テーブル（例えば、図３の１２）に設定することにより操作性を変更した携帯端末機能を初期状態に戻すことを可能としたことを特徴とする。
【００１２】
また、前記プロファイル情報は、一発起動機能の機能キー又はスイッチ割当の情報であり、前記一発起動機能は、電子メール、カメラ撮影又はブラウザの何れかの機能を含み、前記プロファイル情報は、画面表示レイアウトの情報であり、前記プロファイル情報には、操作性を変更する機能毎に少なくとも各種制御テーブルやメモリの資源割当を最適化するための情報を含むことを特徴とする。
【発明の効果】
【００１３】
本発明によれば、携帯端末の設定情報であるプロファイル情報（プロファイル）をインターネット上からダウンロードして取得しインストール可能であるから、携帯端末の操作性を容易に変更することが可能である。つまり、携帯端末には多数の機能があるが、使用者は各個人毎に携帯端末に求める機能の優先度が異なっており、本発明によって各個人の優先度に従った操作性が実現出来る。
【００１４】
また、本発明の携帯端末には初期設定状態の設定情報としてのプロファイルをも格納しているから、該プロファイルを使用することにより、既にダウンロードにより個人の優先度に適合するプロファイルで変更した操作性等の変更を初期状態に戻すことも可能である。つまり、携帯端末の使用者は長期に渡って同じ機能を優先して使用するとは限らず、また試行錯誤などによって最適な操作性を得るものであることから、初期状態に戻す事も簡単にできることも利便性の向上につながる。
【００１５】
更に、ネットワークを使って簡単にプロファイルをダウンロードするだけで機能設定を変更可能であるから、操作性の改善のために携帯端末内の情報を多岐にわたって変更するなどの煩雑な操作をせずに済むという利点がある。
【００１６】
本発明によれば、各個人によって異なる利用頻度の高い機能（メール、カメラ、ブラウザ、画面表示レイアウト等）をより使いやすくするような変更が簡易に可能である。
【発明を実施するための最良の形態】
【００１７】
（実施の形態の説明）
次に、本発明の実施の形態の構成について図面を参照して詳細に説明する。  
図１は本発明の一実施の形態のシステムを示す図であり、図２は本実施の形態の携帯端末の構成を示す図である。本実施の形態のシステム構成は、図１に示すように、プログラム制御により動作し、基地局３０を介してネットアクセス可能な携帯端末１０と、ネットワーク４０上に設置された携帯端末１０と通信可能なプロファイルサーバ２０とから構成される。
【００１８】
携帯端末１０は、図２に示すように、後述する処理プログラムやプロファイル情報、動作情報テーブル等を格納する主な記憶領域としての記憶部１と、メニュー画面、待ち受け画面、電子メール、ブラウザ画面及びカメラ撮影画面等の画面表示を行う表示部２と、インターネットに接続しデータやプログラム等をダウンロードすることが可能なネット接続部３と、データ処理等、情報処理の作業領域等となるメモリ部４と、カメラ撮影用のカメラ部５等と、テンキー、メニューキー等の機能キー及び特定機能を一発起動する専用キーＡ、Ｂ、各種スイッチ等を含むキー入力操作部６と、記憶部１に格納された処理プログラム等を読み込み、該処理プログラムにより制御され動作情報テーブルの情報に基づいて各部の動作を制御する制御部７とから構成される。
【００１９】
図３は本実施の形態のプロファイルサーバの構成及び携帯端末１０とプロファイルサーバ２０に格納される各種の情報例を示す図である。携帯端末１０の記憶部１には、制御部６を制御する処理プログラム１１と、動作情報テーブル１２と、初期状態の機能設定に関するプロファイル情報（初期値）１３と、初期状態から機能設定を変更するプロファイル情報（ダウンロード）１４の記憶領域が確保されている。
【００２０】
処理プログラム１１には、制御部６を制御し携帯端末１０の発着信、通話、電子メール、ブラウザ機能、カメラ撮影、スケジューラ等の各種機能を実現するための制御プログラムに加え、携帯端末１０の設定情報であるプロファイルをダウンロードするためのダウンロード手段としてのプロファイルダウンロード処理プログラム１１１と、動作情報テーブルに既に設定されている動作情報を再設定するための設定手段としての動作情報再設定処理プログラム１１２とが格納されている。プロファイルダウンロード処理プログラム１１１は、ネット上のプロファイルサーバ２０より各種機能の優先プロファイル２０ｘをダウンロードしプロファイル情報（ダウンロード）１４にセーブする。動作情報再設定処理プログラム１１２は、プロファイル情報（ダウンロード）１４にセーブされたプロファイルを参照し、動作情報テーブル１２の該当領域の情報を再セットする。より具体的にはプロファイルダウンロード処理プログラム１１１は、例えば一発起動機能を動作させる専用キーの設定情報、当該機能設定に関連するメモリ割当等の資源割当の最適化の情報等をダウンロードする機能を有し、動作情報再設定処理プログラム１１２はダウンロードした情報を動作情報テーブル等に書き込み動作機能の実現させるための設定を行う機能を有する。
【００２１】
動作情報テーブル１２には、メニュー画面のレイアウト情報としてのメニューレイアウト情報１２１、機能の専用キーにより特定機能を一回の押下操作で当該機能を起動するための一発起動キー割当１２２、機能設定時に起動する機能で必要とする利用メモリ領域の割り当てを決める利用メモリ割当テーブル１２３、特定機能から他の機能への動作の優先順位の情報等を記憶する動作優先順位テーブル１２４等が格納される。
【００２２】
プロファイル情報（初期値）１３には携帯端末１０の出荷時の動作情報テーブル１２等の書き込み情報が格納され、プロファイル情報（ダウンロード）１４には携帯端末１０の機能の設定変更のためにネット接続によりプロファイルサーバ２０からダウンロードしたプロファイル情報が格納される。
【００２３】
一方、プロファイルサーバ２０はプロファイルサーバ制御装置２１と記憶装置２２からなり、前記記憶装置２２は多数の異なる種類のプロファイルでなるデータベースを格納し、前記プロファイルサーバ制御装置２１はネット接続によりアクセスしてきた携帯端末１０から要求された種類のプロファイルを前記記憶装置２２から読み出して携帯端末１０に送信する。例えば、プロファイルサーバ制御装置２１は各種プロファイルとして、携帯端末１０の一発起動の対象となるカメラ機能、電子メール、ブラウザ等の機能設定、キー設定等のプロファイル情報をそれぞれカメラ優先プロファイル２０１、メール優先プロファイル２０２、ブラウザ優先プロファイル２０３等として記憶装置２２に格納して管理し、携帯端末１０が所望するプロファイルをダウンロードする制御を行う。
【００２４】
（動作の説明）
次に本実施の形態の携帯端末１０のダウンロード動作と機能設定の動作について詳細に説明する。  
図４はプロファイルサーバ２０からのプロファイル情報にダウンロード動作を示す図である。携帯端末１０のユーザはキー入力操作部６からカメラ機能を一発起動するプロファイル情報の取得を選択すると、制御部７はネット接続部３の制御により基地局３０を介してネットワーク４０に接続し、プロファイルサーバ２０にアクセスし、プロファイルサーバ２０から一押下操作によりカメラ撮影モードを起動するカメラ優先プロファイルをダウンロードし、記憶部１のプロファイル情報（ダウンロード）１４に格納する。
【００２５】
図５はプロファイル情報の動作情報テーブルへの書き込み設定動作を示す図である。携帯端末１０にカメラ優先プロファイルが格納された後に、自動的又はキー入力操作部６によるプロファイル情報（ダウンロード）１４の選択により動作情報再設定処理の処理プログラム１１２が起動し、動作情報テーブル１２に当該カメラ優先プロファイルの機能情報が書き込まれ、例えば機能の専用キーＡがカメラ機能の起動用に設定（一発起動キー割当）されるとともに、ランダムアクセス可能な撮影画像の処理領域としてメモリの割当テーブルが最適に設定（利用メモリ割当テーブル）され、更に、動作優先順位の機能がテーブル設定（動作優先順位テーブル）される。以上によりカメラ撮影機能の資源割当などが最適化され、例えば携帯端末１０の電源をオフにし、再度電源をオンにするような操作によりカメラ撮影モードの起動が可能となる。以後、制御部７は動作情報テーブル１２に基づいてカメラ撮影の一発起動機能の制御を行い当該機能が使用可能となる。
【００２６】
以上のように、携帯端末１０はプロファイルダウンロード処理プログラム１１１により、ネットワークを介してプロファイルサーバ２０にアクセスし、利用したいプロファイルの情報をプロファイル情報（ダウンロード）へダウンロードする。その後、携帯端末１０は動作情報再設定処理プログラム１１２により、プロファイル情報（ダウンロード）に格納した情報を動作情報テーブル１２のそれぞれの領域に設定する。次に、動作情報テーブル１２への設定が完了した後、新たな電源投入が行われると携帯端末１０は動作情報テーブルの情報に従った動作となる。携帯端末１０がダウンロードサーバ２０との接続時にダウンロードサーバ２０から示される多数のプロファイルのリストからダウンロードするプロファイルを選定することにより、例えば専用キーＡでカメラ撮影モードを起動し、専用キーＢでメール機能モードを起動する等の機能の優先的な起動を可能とすることができる。
【００２７】
次に、プロファイル情報（ダウンロード）１４により動作情報テーブル１２に設定した携帯端末機能の使用をやめて初期状態の機能に戻す場合には、キー入力操作部６の操作により出荷時に格納されているプロファイル情報（初期値）１３を選択して動作情報再設定処理プログラム１１２を起動し、図５に示すようにプロファイル情報（初期値）１３を動作情報テーブル１２の該当領域に設定し、携帯端末１０の再起動を行う事で初期状態の動作へと戻す事が出来る。
【００２８】
（他の実施の形態）
図６は本発明の他の実施の形態を示す図である。本実施の形態は、折畳み式の携帯端末１０を対象とし、専用キーＡで電子メール機能を起動し、専用キーＢでスケジューラを起動し、更に筐体を開いたときにカメラ機能モードを起動するようにプロファイルサーバ２０からプロファイルをダウンロードして設定する構成例を示している。図２に示す実施の形態の構成に加え、スケジューラ８及び折畳み式の携帯端末１０の開閉操作を検出し、開いたときや閉開操作によりカメラ機能モードを起動するトリガ信号を出力する何らかのスイッチでなる開閉検出部９を備える。
【００２９】
携帯端末１０のユーザはキー入力操作部６を操作し、メニュー画面からプロファイルのダウンロード機能を選択し、ネット接続してプロファイルサーバ２０にアクセスして一操作の電子メール機能、スケジューラ機能及びカメラ撮影機能の各モードに設定するプロファイルをダウンロードして前述のように動作情報テーブルに設定する。動作情報テーブルへの設定後は、一発起動のスイッチ割当により携帯端末１０の開閉操作によりカメラ撮影モードが起動する。
【００３０】
更に、本発明の他の実施の形態としては表示メニューレイアウト等の設定等のように、各種機能の起動時の表示画面レイアウトをユーザの好みのレイアウト、例えば新機種の携帯端末の購入時等に使い慣れた画面レイアウトに変更する等、プロファイルサーバ２０へのアクセス時に、プロファイルサーバ２０から提示された複数のレイアウトパターンから適宜選定することにより、他の機能のプロファイルのダウンロードに関連して又は独立にダウンロードして表示機能として機能設定するように構成することができる。
【００３１】
以上の実施の形態において、例えばカメラ機能モードについても、動画撮影か静止画撮影か等、階層状の更なるキー入力操作部６による選択操作を極力不要とするようにプロファイル情報をより詳細な所定レベルまで設定可能な内容とし、例えば筐体を開いた際に、シャッター操作のみで撮影可能に機能設定までも行うことでユーザのニーズを満たすように、複数の詳細なプロファイル情報を選択可能にし、又はダウンロードしたプロファイル情報から選択可能にすることが可能である。プロファイルサーバ２０へのこのような詳細なプロファイル情報の登録は、電子メール機能のメール確認、送信又は受信等、ブラウザ機能の送信先アドレスの特定等、スケジューラのメモ書き画面、ゲーム機能等にも適用可能であることは明らかである。
【００３２】
更に、各機能の起動状態で他の機能への切り替え操作の可能性については、プロファイル情報に含めておくことにより、動作情報テーブルの動作優先順位テーブルに設定可能であり、例えばカメラ撮影モードに設定後に、専用キーＡ、Ｂによるそれぞれの機能への切り替えの可能性を予め優先情報として設定可能である。
【００３３】
また、本発明の機能設定は以上の機能に加えて、任意の相手又は特定相手との電話機能、複数又は特定のゲーム機能等においても同様に適用可能であることは明らかである。また、一発機能起動については専用キーに限らず複数のキー操作によりテンキー等に機能切り替えキーの機能を与えることも可能であることはいうまでもない。
【産業上の利用可能性】
【００３４】
本発明によれば、携帯端末のカメラ撮影のシャッターチャンスを逃さないように一発起動する機能を持たせるような用途に適用できる。また、メール、ブラウザ等の一発起動、すばやい動作で簡単にネットワークアクセスを可能とし、迅速な情報収集を行う用途、また表示画面レイアウトの変更を可能とする用途にも適用可能である。
【図面の簡単な説明】
【００３５】
【図１】本発明の一実施の形態のシステムを示す図である。
【図２】本実施の形態の携帯端末の構成を示す図である。
【図３】本実施の形態の携帯端末とプロファイルサーバの格納情報の例を示す図である。
【図４】プロファイルサーバからプロファイル情報をダウンロードする動作を示す図である
【図５】プロファイル情報を動作情報テーブルに書き込む動作を示す図である。
【図６】本発明の他の実施の形態を示す図である。
【符号の説明】
【００３６】
１  記憶部
２  表示部
３  ネット接続部
４  メモリ部
５  カメラ部
６  キー入力操作部
７  制御部
８  スケジューラ
９  開閉検出部
１０  携帯端末
１１  処置プログラム
１１１  プロファイルダウンロード処理（ダウンロード手段）
１１２  動作情報再設定処理（設定手段）
１２  動作情報テーブル
１３  プロファイル情報（初期値）
１４  プロファイル情報（ダウンロード）
２０  プロファイルサーバ
２１  ファイルサーバ制御装置
２２  記憶装置
３０  基地局
４０  ネットワーク
【図１】
2007201922.tif 000003
【図２】
2007201922.tif 000004
【図３】
2007201922.tif 000005
【図４】
2007201922.tif 000006
【図５】
2007201922.tif 000007
【図６】
2007201922.tif 000008